(57)【要約】ドアハンドルおよびドアプッシュプレート用の洗浄装置は、ドアに取り付けられるハウジング（６０）であって、ハウジングは、殺菌液のリザーバ（７６）およびスプレーヘッド（７１）を有し、作動アーム（７２）は、ハウジングから外方に突出し、使用時にドアが内部に取り付けられたドアフレームと動作可能に連携され、これにより、ドアの開閉により作動アーム（７２）が移動して、スプレーヘッドを動作させ、殺菌液がドアハンドル、ドアプッシュプレートまたは他のドア表面に噴霧され、作動アームはドアフレームと係合してスプレーヘッドを動作させる。【選択図】図１３
2016501996.tif 000002
【特許請求の範囲】
【請求項１】
ドアに取り付けられるハウジング（６０）を含む、ドアハンドルおよびドアプッシュプレート用の洗浄装置であって、前記ハウジングは、殺菌液のリザーバ（７６）およびスプレーヘッドと、作動アーム（７２）とを有し、前記作動アーム（７２）は、前記ハウジングから外方に突出し、使用時に前記ドアが内部に取り付けられたドアフレームと動作可能に連携され、これにより、前記ドアの開閉により前記作動アーム（７２）が移動して前記スプレーヘッドが作動し、殺菌液が前記ドアハンドル、ドアプッシュプレートまたは他のドア表面に噴霧され、前記作動アームが前記ドアフレームと係合して前記スプレーヘッドを動作させる、洗浄装置。
【請求項２】
前記作動アーム（７２）はドア係合部分（３０）を有し、前記ドア係合部分（３０）は、使用時に前記ドアが閉位置の時に、前記ドアフレームと直接係合する、請求項１に記載の洗浄装置。
【請求項３】
前記作動アームのドア係合部分は、前記ドアに隣接する前記ハウジングの面から前方に突出する、請求項２に記載の洗浄装置。
【請求項４】
前記作動アーム（７２）は、前記ハウジング内に配置された作動部分（７９）を有し、前記作動部分（７９）は、摺動可能なアーム（７０）を移動させて前記スプレーヘッドを起動させるように配置される、請求項２または３に記載の洗浄装置。
【請求項５】
前記作動部分（７９）はカム部分を含む、請求項４に記載の洗浄装置。
【請求項６】
前記摺動可能なアーム（７０）は、前記作動アーム（７２）上の前記カム部分（７９）と係合するカム表面（７７）を有する、請求項５に記載の洗浄装置。
【請求項７】
前記殺菌液のリザーバ（７６）は、可撓性バッグまたはパウチ型のコンテナを含む、請求項１〜６のいずれかに記載の洗浄装置。
【請求項８】
前記バッグ（７６）は、前記スプレーヘッドへ接続された導管（７４）を有する、請求項７に記載の洗浄装置。
【請求項９】
前記導管（７４）は、前記スライダー（７０）へ取り外し可能に取り付けられ、前記スライダーと共に移動する、請求項８に記載の洗浄装置。
【請求項１０】
前記スライダー（７０）へ取り付けられる導管（７４）と、前記導管へ接続されるスプレーヘッド（７１）とを有する殺菌液の可撓性パウチを含む、請求項４〜９のいずれか１項に記載の洗浄装置のためのレフィルユニット。
【請求項１１】
前記殺菌液のリザーバは、前記ハウジング内に移動可能に取り付けられた固体壁構造のコンテナ（２１）である、請求項１〜３のいずれか１項に記載の洗浄装置
【請求項１２】
前記コンテナ（２１）は、前記ハウジング内に旋回可能に取り付けられ、前記作動アームの作動部分によって移動可能である、請求項１０に記載の洗浄装置
【請求項１３】
スプレーヘッド（１８）が取り付けられた固体壁コンテナ（２１）を含む、請求項１１および１２に記載の洗浄装置のためのレフィルユニット。
【請求項１４】
前記作動アーム（８５）は、前記ドア構造内に取り付けられ、前記ドアフレームと係合する端部を有するバネ付勢アームを含む、請求項１に記載の洗浄装置
【請求項１５】
前記作動アーム（８５）は、前記ハウジングの後部から突出するトリガーピン（８９）を受容する穴部（８８）を有する伸張部分（８７）を有し、これにより、前記作動アームの移動に伴って、スライダーが前記ハウジング内において移動して、前記スプレーヘッドを動作させる、請求項１４に記載の洗浄装置
【請求項１６】
前記作動アーム（８６）は、くさび形状であり、前記ハウジングの側壁から突出する、請求項１〜１５のいずれかに記載の洗浄装置
【発明の詳細な説明】
【技術分野】
【０００１】
本発明は、ドアハンドルおよびプッシュプレートのための洗浄装置に関する。詳細には、本発明は、洗浄トイレのドアハンドルの洗浄に関連する用途を有する。
【背景技術】
【０００２】
トイレのドアハンドルは、手を洗うのを忘れた多くの人によって汚染されている場合が多く、これらのドアハンドルは、公共の場における一般的な汚染源となる。大量の細菌または他の病原菌が存在する可能性が高い病院および他の施設においては、特殊な問題が発生する。この問題のため、多くの人が、ドアとの物理的接触を最小にしつつトイレのドアを開けようとすることが多い。
【０００３】
本発明によれば、ドアハンドルおよびドアプッシュプレート用の洗浄装置が提供される。この洗浄装置は、ドアに取り付けられるハウジングと、作動アームとを含む。ハウジングは、殺菌液のリザーバと、スプレーヘッドとを有する。作動アームは、ハウジングから外方に突出し、使用時にドアが内部に取り付けられたドアフレームと動作可能に連携され、これにより、ドアの開閉により作動アームが移動して、スプレーヘッドを動作させ、殺菌液がドアハンドル、ドアプッシュプレートまたは他のドア表面に噴霧され、作動アームはドアフレームと係合してスプレーヘッドを動作させる。
【０００４】
好適には、装置は、ドアが閉まると作動アームが移動してスプレーヘッドが動作するように、配置される。
【０００５】
別の好適な実施形態において、好適には、ドアが開くと作動アームが移動して、スプレーヘッドが動作する。
【０００６】
さらに好適には、作動アームは、ドアが閉位置にあるとき、ドアフレームと直接係合する。
【０００７】
好適には、作動アームは、ハウジング内に旋回可能に取り付けられる。
【０００８】
本発明の一実施形態において、好適には作動アームは、ドア係合部分を有する。
【０００９】
より好適には、ドア係合部分は、ドアと隣接するハウジングの面から前方に突出する。
【００１０】
作動アームは好適には、摺動可能なアーム（スライダー）を移動させるように、ハウジング内に配置される。
【００１１】
好適には、作動部分はカム部分を含み、ドアが閉じると、カム部分により摺動アームが移動して、スプレーヘッドを作動させる。
【００１２】
さらに好適には、ドアが開くと、カム部分が解放されて、スプレーヘッドが摺動アームに対して作動して、摺動アームおよびカム部分を初期位置へ移動させる。
【００１３】
スプレーヘッドは、ハウジング内に収容された殺菌流体のリザーバと流体連通する。
【００１４】
液体のリザーバは好適には、スプレーヘッドの上方に取り付けられる。
【００１５】
スプレーヘッドは好適には、ボスおよびスプレーノズルを有する。
【００１６】
コンテナは好適には、導管を介してスプレーヘッドへ接続される。導管は好適には、ボス中に取り付けられたコネクタ針へ接続される。
【００１７】
本発明の別の実施形態において、ハウジングは殺菌流体のコンテナを有し、コンテナは、ハウジング内において移動可能である。
【００１８】
コンテナは好適には、ハウジング内に旋回可能に取り付けられる。
【００１９】
好適には、ドアが閉まると作動アームの作動部分が移動すると、コンテナがハウジング内において移動する。
【００２０】
さらに好適には、コンテナは、コンテナの移動に伴ってスプレーヘッドが動作して１回分の分量の殺菌液が噴霧されるように、スプレーヘッドへ接続される。
【００２１】
ドアが開くと、好適には作動アームが解放されてカム部分が解放され、これにより、スプレーヘッドの付勢により、コンテナおよびカム部分が初期位置へ戻る。
【００２２】
カム部分は好適には、コンテナの側壁上に直接作用する。
【００２３】
コンテナおよびスプレーヘッドは、コンテナ中の液体が枯渇した場合に交換することが可能な１つのユニットであってよい。
【００２４】
ハウジングは好適には、カバーを有する。
【００２５】
スプレーヘッドは好適には、ドアが閉じる時に作動するように配置される。
【００２６】
好適には、ドアハンドルは細長型であってよく、さらに好適には回転可能であってよい。
【００２７】
ドアハンドルについて言及する場合、ドア表面に取り付けられたプッシュプレートまたは実際にはドア表面の特定の部分も含まれる。よって、本発明は、ドアが開閉されるたびにドア表面に殺菌を適用する装置を提供する。ドア表面は、１つ以上のプッシュプレートを含み得る。
【００２８】
以下、本発明の実施形態について例示目的のため添付図面を参照して説明する。
【図面の簡単な説明】
【００２９】
【図１】本発明に係る洗浄装置の実施形態の分解斜視図である。
【図２】本発明に係る洗浄装置の別の実施形態の斜視図である。
【図３】図２の装置の正面図である。
【図４ａ】図２および図３の装置がドア上に固定された様子の模式図である。
【図４ｂ】ドアが開位置にある場合の洗浄装置の模式図である。
【図４ｃ】ドアが閉位置にある場合の洗浄装置の模式図である。
【図５】本発明に係る洗浄装置の別の実施形態の斜視図である。
【図６】図５の装置の正面図である。
【図７】ドアが開位置にある場合の図６の装置の下部模式図である。
【図８】ドアが閉位置にある場合の図６の装置の下部模式図である。
【図９】図６のコンテナの斜視図である。
【図１０】ドアに取り付けられた図５の「左手」型の装置の模式図である。
【図１１】ドアおよび装置が開位置にある場合の模式図である。
【図１２】ドアおよび装置が閉位置にある場合の模式図である。
【図１３】本発明に係る洗浄装置の別の実施形態の模式図である。
【図１４】図１３の装置の摺動可能なアーム（スライダー）の模式図である。
【図１５】本発明に係る、ドアを外に開くための作動アームの別の実施形態の斜視図である。
【図１６】図１５の作動アームを用いた、本発明に係る洗浄装置の斜視図である。
【図１７】本発明に係る洗浄装置がドアに取り付けられた、別の実施形態の模式図である。
【図１８】作動アーム機構が内部に取り付けられた、図１７のドアの部分端面図である。
【図１９】図１８の作動アーム機構の模式図である。
【図２０】トリガーピンを備えた、図１７の洗浄装置の模式図である。
【発明を実施するための形態】
【００３０】
ここで図面を参照すると、図面中、類似の部分を指すために類似の数字を用い、図中、本発明に係るドアハンドルおよびプッシュプレートのための洗浄装置が主に１０によって示されている。開始時において、装置は、左手側または右手側から開くドアに適合するように構築され得、装置が相応に構築される点が指摘される。
【００３１】
装置をドアの内側または外側上において用い、内方にまたは外方に開くドア上において用いられ得ることが理解される。
【００３２】
装置または装置１０は、殺菌液のスプレーをドア１２に取り付けられたハンドル１１またはプッシュプレート（図示せず）（図４ａ）へ分配するためのものである。
【００３３】
装置１０は、ベースプレート１３およびカバー１４を有するハウジングを含む。図１〜図３において、ベース１３へ取り付けられたフレーム１５が図示されている。フレーム１５は、スロット１６内において軸方向にスライド可能なスライドすることができる摺動可能なアーム（スライダー）１７を収容するスロット１６を有する。
【００３４】
スプレーヘッド１８は、フレーム１５の一端に配置される。作動アーム１９は、ベース１３の反対端においてスプレーヘッド１８へ取り付けられ、装置１０から横方向に外方に突出する。スプレーヘッドは、導管２０により、同様にベース１３に取り付けられた殺菌液２１のコンテナへ接続される。コンテナ２１は、ボス２３中に収容されたニップル２２を有する。ボス２３は、針２４を有する。針２４は、新規ボトルが所定位置に配置された際に交換用ボトルを針２４と容易に係合させることが可能なように、導管２０へ接続される。本実施形態におけるコンテナ２１は、可撓性バッグまたはパウチ型の液体コンテナであってもよいし、あるいは固体壁のコンテナであってもよいことが理解される。
【００３５】
ベース１３およびカバー部分１４は、協働して、装置の多様な構成要素を固定するための密閉ハウジングを提供する。
【００３６】
図１に示す構成は、右手側から開くドアに取り付けられる一方、図２，図３に示す構成は、左手側上から開くドアに取り付けられる。
【００３７】
図２，図３により詳細に示すように、スプレーヘッド１８は、フレーム１５の端壁部２５と、摺動可能なアーム（スライダー）１７との間に配置される。スプレーヘッドは、１回分の分量の液体を下方にハウジング中の開口部を通じてドアハンドルまたはプッシュプレート１１に噴霧するためのアパチャ２６を有する。
【００３８】
作動アーム１９は、ドアフレーム係合部分３０およびカム部分３１を有する。カム部分３１はハウジング内に配置され、ドア係合部分は、ベース１３の面から前方に突出する。ベース１３は、使用時にベース１３が取り付けられるドア表面に隣接する。作動アーム１９は、３２においてベース１３上に旋回可能に取り付けられる。
【００３９】
カム部分３１は、カム部分３１がスライダー１７に対して移動すると、スライダーがスプレーヘッド１８に対して移動し、スプレーヘッドが起動して液体のスプレーが生成されるよう、スライダー１７上のカム表面３３と係合する。
【００４０】
図３，図４ａ〜図４Ｃにより明確に示すように、ドアの開位置において、作動アーム１９のドアフレーム係合部分３０は、図４ｂに明確に示すように、ドアの縁に若干隣接して突出する。ドアが閉じられる（図４ｃ）と、ドアフレーム係合部分３０がドアフレーム４０と係合して、作動アーム１９が旋回し、カム部分３１をスライダー１７のカム表面３３と係合させる。そのため、スライダー１７がスプレーヘッドに対して移動してスプレーヘッドを起動させ、液体スプレーをハンドル１１上に発生させる。ドアが再度開くと、スプレーヘッド中のバネ付勢によりスライダー１７が押圧されて、作動アーム１９が旋回し、その初期位置へ戻る。
【００４１】
ハンドル１１は、垂直軸の周辺において自由に回転可能であることが理解される。別の実施形態において、ハンドルは、水平方向に取り付けてもよいし、あるいは従来のハンドルにしてもよい。
【００４２】
本実施形態において、殺菌液コンテナ２１を交換することが望まれる場合、カバー１４を簡単にユニットのベースから取り外し、コンテナ２１を交換すればよいだけである。
【００４３】
ここで図５〜図１２を参照すると、本発明の別の実施形態が図示されている。本実施形態において、ハウジングは、殺菌流体のコンテナ２１を保持するベース１３を有し、コンテナ２１は、ハウジング内において移動可能である。コンテナは、コンテナ中のアパチャ５１を通じて突出するベース上のボス５０により、ベース１３上に旋回可能に取り付けられる。コンテナ２１上にはスプレーヘッド１８が取り付けられ、スプレーヘッド１８は、ベース１３の側壁５２に隣接する。作動アーム１９は、カム部分３１がコンテナ２１の側壁５３と係合するように、ベース１３に取り付けられる。スプレーヘッド１８は、ボス５４を介してコンテナ２１へ取り付けてもよいし、あるいは実際にコンテナ２１と一体化させてもよい。
【００４４】
本実施形態において、固体壁構成のコンテナ２１は実質的に剛性であるため、作動アーム１９により移動可能である。コンテナ２１およびスプレーヘッド１８は、レフィルユニットとして供給することができるため、殺菌剤の補給が必要な場合の交換が容易になる。
【００４５】
図１０、図１１および図１２において、図５の装置がドア１２に取り付けられた様子が示される。本実施形態において、装置は、左手に開くドアへ取り付けられるように、配置される。図７、図８および図１０において、ドアが開位置（図７）および閉位置（図８）にある様子が図示されている。ドアが閉じられると、作動アーム１９のドアフレーム係合部分３０がドアフレーム４０に隣接して作動アーム１９が旋回し、これによりカム部分３１がコンテナ２１の側壁５３と係合してコンテナがハウジング内において移動し、スプレーヘッド１８を含む動作させる。ドアが開くと、スプレーヘッド１８の付勢がコンテナ２１に作用して、コンテナをその初期位置へ移動させ、図７に示すように作動アーム１９もその初期位置へ移動させる。図７において、作動アーム１９のドアフレーム係合部分３０は、装置が取り付けられたドア面から前方に突出する点に留意されたい。
【００４６】
本発明の本実施形態は、部品点数の大幅な削減が可能であるため、製造コストの低減に繋がり、装置の信頼性も極めて高い点において、極めて有利である。
【００４７】
本発明の実施形態は、ドアの開閉時に、ドアハンドル、ドアプッシュプレートまたは他のドア表面殺菌液のスプレーを適用することが可能な、簡単で低コストで信頼性の高い装置を提供する点において、有利である。この点について、装置は、ドアを閉じる時ではなく開く時に殺菌液スプレーをドアハンドルに適用するように配置することが可能であることが理解されるべきである。
【００４８】
ここで図１３および図１４を参照すると、本発明に係る、主に６０によって示される洗浄装置の別の実施形態が図示されている。本実施形態は、可撓性バッグまたはパウチ型の液体コンテナまたはリザーバを使用することが望ましい場合に有用である。装置６０はベース１３を有し、ベース１３の下部上には、移動することができる摺動可能なアーム（スライダー）７０が取り付けられる。スプレーヘッド７１は、ベースの一端に配置され、作動アーム７２は反対端へ取り付けられる。スプレーヘッド７１上のフランジ７３は、ベース１３の側壁に隣接する。スプレーヘッド７１は、導管７４によりボス７５を介して、点線の外形で７６において図示されている可撓性バッグまたはパウチ型のコンテナへ接続される。
【００４９】
スライダー７０は、カム表面７７を有する。作動アーム７２は、上記実施形態に関連して上記し、以下の実施形態に示すように、ベース１３に取り付けられる。作動アーム７２のカム部分７９がスライダー７０のカム表面７７と係合すると、アーム７２およびカム部分７９の移動に伴ってスライダー７０がスプレーヘッド７１に向かって移動し、スプレーヘッドが起動して、殺菌液がドアハンドルまたはドアプッシュプレートに噴霧される。
【００５０】
導管７４は、スライダー７０に取り付けられたバネ付勢クリップ８０内に係合され得る。所望であれば、バッグ７６が空になると、バッグ７６を導管７４およびスプレーヘッド７１を含めて取り外し、新規システム全体と交換するように、可撓性バッグまたはパウチ７６、ボス７５と、導管７４およびスプレーヘッド７１とを「レフィル」として供給することが可能であることが考えられる。
【００５１】
従って、本発明は、洗浄装置のための、スプレーヘッドへ接続された導管を有する殺菌流体のレフィルコンテナをさらに提供することが明確になる。
【００５２】
さらに、本発明は、スプレーヘッドへ接続される導管を有する殺菌流体のレフィルコンテナを提供する。
【００５３】
作動部材７２は、他の実施形態に関連して述べられた作動部材１９のものと同様であり、多様な実施形態の構成要素および部分は相互交換可能であることが明らかである。
【００５４】
ここで図１５および図１６を参照すると、本発明に係る外方に開くドアのための作動アームを有する、本発明に係る洗浄装置８５の別の実施形態が図示されている。本実施形態において、装置８５の内部は、本明細書中に記載される他の実施形態のものと同様であってよく、この場合、主な差は、作動アーム８６が概してくさび型形状である点である。ドアの閉位置において、アーム８６は、ドアフレームによるスプレーヘッドの付勢に対して内方に旋回して、ドアが閉じると噴霧が起動し、ドアが開くと、アームが解放されて、次にドアが閉じる時に装置から再度噴霧ができるような状態になる。
【００５５】
ここで図１７〜図２０を参照すると、本発明に係る洗浄装置９０の別の実施形態が図示されている。本実施形態において、作動アーム８５は、ハウジングから分離される。作動アーム８５は、ドア構造の内部中に取り付けられ、バネ付勢アーム８５を含む。バネ付勢アーム８５は、ドアフレームと係合する端部を有する。作動アーム装置９０の後部から突出するトリガーピン８９を受容するいくつかの穴部８８を有する伸張部分８７を有する。トリガーピン８９は、ハウジング９０内において、摺動可能なアーム（スライダー）（図示せず）と係合する。
【００５６】
ドア９５内には、穴部９６が切り込まれており、これにより、トリガーピン８９が作動アーム８５の伸張部分８７中の穴部８８の１つと係合することが可能になる。
【００５７】
よって、ドアが閉じると、アーム８５が内方にドア９５内に押圧され、ピン８９が伸張部分８７内の穴部８８内に係合し、ピンによりスライダーが（ハウジング９０内において移動）して、スプレーヘッドが起動される。
【００５８】
本発明の全実施形態において、スプレーの角度を最適な効果が得られるように調節するためのスプレーヘッドの位置調節を可能にする適切な手段が提供されてもよいことが理解される。このようなスプレーヘッドの位置調節は、スプレーヘッドを所望に配置および保持するための適切なピンまたは保持要素をベース１３上に設けることにより、達成することができる。
【００５９】
本発明は、多数の環境（例えば、病院、レストラン、および公共の職員が存在する他の領域）において、特定の用途を有する。本発明は、多数の個人が通常接触する表面上の汚染を低減または排除することにより、細菌の拡散と、ドア、ドア表面およびドアハンドルからの感染の最小化および排除をと大きく支援する。
【００６０】
本発明は、作動アームが直接ドアフレームと係合することができるため、スプレーヘッドを作動するためにドアフレームに取り付けられるカムが不要である点においても利点を有する。詳細には、作動アームは、ドアフレームとの全ての衝突を最小化するように適切に外形形成され、取り付けられたプラスチック材料によって構成されてもよい。
【００６１】
本発明は、本明細書中に記載される実施形態に限定されず、本発明の範囲から逸脱することなく変更または改変が可能である。
【図１】
2016501996.tif 000003
【図２】
2016501996.tif 000004
【図３】
2016501996.tif 000005
【図４ａ】
2016501996.tif 000006
【図４ｂ】
2016501996.tif 000007
【図４ｃ】
2016501996.tif 000008
【図５】
2016501996.tif 000009
【図６】
2016501996.tif 000010
【図７】
2016501996.tif 000011
【図８】
2016501996.tif 000012
【図９】
2016501996.tif 000013
【図１０】
2016501996.tif 000014
【図１１】
2016501996.tif 000015
【図１２】
2016501996.tif 000016
【図１３】
2016501996.tif 000017
【図１４】
2016501996.tif 000018
【図１５】
2016501996.tif 000019
【図１６】
2016501996.tif 000020
【図１７】
2016501996.tif 000021
【図１８】
2016501996.tif 000022
【図１９】
2016501996.tif 000023
【図２０】
2016501996.tif 000024
【国際調査報告】
2016501996.tif 000025
2016501996.tif 000026
2016501996.tif 000027